(57)【特許請求の範囲】
【請求項１】
ディジタルカメラと、パーソナルコンピュータと、サーバとそれらを相互に接続するネットワークとからなる画像管理システムであって、
前記ディジタルカメラは、
撮像手段と、
前記撮像手段によって撮像された画像データを無線回線および前記ネットワークを介して前記サーバへ送信する送信手段とを具備し、
前記サーバは、
前記ディジタルカメラからの画像データを記憶する複数のプロジェクトページと、
前記ディジタルカメラと前記プロジェクトページを関連づけるため、カメラ設定ページにプロジェクトページ番号が記憶された記憶手段と、
前記ディジタルカメラからの画像データを前記記憶手段内のプロジェクトページ番号に基づいて前記プロジェクトページに書き込む書き込み手段と、
前記パーソナルコンピュータからの要求に応じて前記プロジェクトページを前記パーソナルコンピュータへ送信する制御手段と、
を具備することを特徴とする画像管理システム。
【請求項２】
前記サーバは、前記画像データに付属情報を付加して前記プロジェクトページに記憶させ、前記パーソナルコンピュータからの要求に応じて前記画像データと共に前記付属情報を前記パーソナルコンピュータへ送信することを特徴とする請求項１に記載の画像管理システム。
【請求項３】
前記付加情報には、前記パーソナルコンピュータから送信されたコメント文が含まれることを特徴とする請求項２に記載の画像管理システム。
【請求項４】
前記ディジタルカメラは、前記サーバと異なる画像データ送信先情報を有し、ユーザからの指示に基づいて前記画像データを該送信先情報が示す送信先へ送信することを特徴とする請求項１〜請求項３のいずれかの項に記載の画像管理システム。
【請求項５】
前記パーソナルコンピュータは、前記プロジェクトページの印刷を行う印刷手段を具備することを特徴とする請求項１に記載の画像管理システム。
【請求項６】
ディジタルカメラと、携帯端末装置と、サーバとそれらを相互に接続するネットワークとからなる画像管理システムであって、
前記ディジタルカメラは、
撮像手段と、
前記撮像手段によって撮像された画像データを無線回線および前記ネットワークを介して前記サーバへ送信する送信手段とを具備し、
前記サーバは、
前記ディジタルカメラからの画像データを記憶する複数のプロジェクトページと、
前記ディジタルカメラと前記プロジェクトページを関連づけるため、カメラ設定ページにプロジェクトページ番号が記憶された記憶手段と、
前記ディジタルカメラからの画像データを前記記憶手段内のプロジェクトページ番号に基づいて前記プロジェクトページに書き込む書き込み手段と、
前記パーソナルコンピュータからの要求に応じて前記プロジェクトページを前記携帯端末装置へ送信する制御手段と、
を具備することを特徴とする画像管理システム。
【発明の詳細な説明】
【０００１】
【発明の属する技術分野】
この発明は、ディジタルカメラによって撮影した建築現場のディジタル画像あるいは個人旅行のディジタル写真等を能率よく管理する画像管理システムに関する。
【０００２】
【従来の技術】
従来、建築現場においては、非常に多くの写真が撮られ、進行管理、トラブル処理等の種々の目的で使用されている。最近では、この写真を従来のフィルムによる写真に代えて、ディジタルカメラによる写真に置き換えようという動きも活発であり、既に多くの事例がある。ディジタル化し、パソコンおよびネットワークを活用することによって、従来は現場毎に管理されていた画像を集中的に管理できるという利点も得られる。
【０００３】
【発明が解決しようとする課題】
しかしながら、建築現場では情報技術に不慣れな担当者、現場監督が多いというのが実態であり、そのような現状では、ディジタルカメラとパソコンを用いた画像管理には限界がある。
この発明は、このような事情を考慮してなされたもので、その目的は、情報機器の扱いが不得手な担当者でも容易に利用することができる、ネットワークを利用した画像管理システムを提供することにある。
【０００４】
【課題を解決するための手段】
この発明は上記の課題を解決すべくなされたもので、請求項１に記載の発明は、ディジタルカメラと、パーソナルコンピュータと、サーバとそれらを相互に接続するネットワークとからなる画像管理システムであって、前記ディジタルカメラは、撮像手段と、前記撮像手段によって撮像された画像データを無線回線および前記ネットワークを介して前記サーバへ送信する送信手段とを具備し、前記サーバは、前記ディジタルカメラからの画像データを記憶する複数のプロジェクトページと、前記ディジタルカメラと前記プロジェクトページを関連づけるため、カメラ設定ページにプロジェクトページ番号が記憶された記憶手段と、前記ディジタルカメラからの画像データを前記記憶手段内のプロジェクトページ番号に基づいて前記プロジェクトページに書き込む書き込み手段と、前記パーソナルコンピュータからの要求に応じて前記プロジェクトページを前記パーソナルコンピュータへ送信する制御手段とを具備することを特徴とする画像管理システムである。
【０００５】
請求項２に記載の発明は、請求項１に記載の画像管理システムにおいて、前記サーバは、前記画像データに付属情報を付加して前記プロジェクトページに記憶させ、前記パーソナルコンピュータからの要求に応じて前記画像データと共に前記付属情報を前記パーソナルコンピュータへ送信することを特徴とする。
請求項３に記載の発明は、請求項２に記載の画像管理システムにおいて、前記付加情報には、前記パーソナルコンピュータから送信されたコメント文が含まれることを特徴とする。
【０００６】
請求項４に記載の発明は、請求項１〜請求項３のいずれかの項に記載の画像管理システムにおいて、前記ディジタルカメラは、前記サーバと異なる画像データ送信先情報を有し、ユーザからの指示に基づいて前記画像データを該送信先情報が示す送信先へ送信することを特徴とする。
請求項５に記載の発明は、請求項１に記載の画像管理システムにおいて、前記パーソナルコンピュータは、前記プロジェクトページの印刷を行う印刷手段を具備することを特徴とする。
【０００７】
請求項６に記載の発明は、ディジタルカメラと、携帯端末装置と、サーバとそれらを相互に接続するネットワークとからなる画像管理システムであって、前記ディジタルカメラは、撮像手段と、前記撮像手段によって撮像された画像データを無線回線および前記ネットワークを介して前記サーバへ送信する送信手段とを具備し、前記サーバは、前記ディジタルカメラからの画像データを記憶する複数のプロジェクトページと、前記ディジタルカメラと前記プロジェクトページを関連づけるため、カメラ設定ページにプロジェクトページ番号が記憶された記憶手段と、前記ディジタルカメラからの画像データを前記記憶手段内のプロジェクトページ番号に基づいて前記プロジェクトページに書き込む書き込み手段と、前記パーソナルコンピュータからの要求に応じて前記プロジェクトページを前記携帯端末装置へ送信する制御手段とを具備することを特徴とする画像管理システムである。
【００１０】
【発明の実施の形態】
以下、図面を参照し、この発明の実施の形態について説明する。図１はこの発明の第１の実施の形態による画像管理システムの全体構成を示すブロック図であり、この図に示すシステムは建築画像管理のための画像管理システムである。この図において、符号１はシステム管理会社が契約したＡＰＳ（アプリケーション・サービス・プロバイダ）であり、システム管理サーバとして使用される。２は例えば建築会社の管理者が所有するパーソナルコンピュータ（以下、ＰＣという）、３は建築現場の現場監督等によって使用されるカメラ、４はＡＳＰ１、ＰＣ２、カメラ３を相互に接続するインターネットである。
【００１１】
図２はカメラ３の構成を示すブロック図である。この図において、１１はレンズ、ＣＣＤ（チャージ・カップルド・デバイス）、Ａ／Ｄ変換器等からなる撮像部であり、ＣＣＤによって撮像された画像がディジタルデータに変換され、バスラインＢへ出力される。１２は携帯電話機の通信部と同様の機能を有する通信部であり、バスラインＢを介して供給されるデータを搬送波に乗せ、アンテナ１３から出力し、また、アンテナ１３を介して受信した信号をディジタルデータに復調し、バスラインＢへ出力する。
１４は回路各部を制御するＣＰＵ（中央処理装置）、１５はＣＰＵ１４のプログラムが記憶されたＲＯＭおよびデータ記憶用のＲＡＭから構成されるメモリ、１６は液晶による表示部、１７はテンキーおよびファンクションキーを有する操作部である。
【００１２】
次に、上述したシステムの動作を説明する。
図３はシステムの利用を希望する建築会社とシステム管理会社とがシステムの利用に先だって行う処理を示すフローチャートである。まず、両者間でサービス契約が行われる（ステップＳａ１）。この契約が行われると、次に、専用ディジタルカメラ３がシステム管理会社から建築会社へ渡される（ステップＳａ２）。このカメラ３のメモリ１５には、予め、ＡＳＰ１の電話番号、初期パスワードおよびＩＤが設定され、また、ＡＳＰ１へデータを送信する手順が設定されている。このカメラ３は、建築会社の希望により複数の場合もある。またこの時、ＡＳＰ１に、その建築会社専用のホームページが作成される（ステップＳａ２）。次に、上述したカメラＩＤと、ＰＣ２がＡＳＰ１の専用ホームページへログインするためのログインＩＤおよび初期パスワードとが建築会社へ提供される（ステップＳａ３）。次に、ＡＳＰ１に、上述したサービス契約に基づく契約者情報（名称、住所、請求先等）が登録される（ステップＳａ４）。
【００１３】
図４は、建築会社がシステムの使用に先だって、ＰＣ２からＡＳＰ１にアクセスし、カメラ利用者情報およびコメント文例を登録する過程を示すフローチャートである。
まず、ＰＣ２からＡＳＰ１の専用ホームページへアクセスすると、ログインＩＤおよびパスワードを入力する画面がＡＳＰ１から送信され、ＰＣ２のディスプレイに表示される。ＰＣ２の担当者は、その画面においてログインＩＤおよび初期パスワードを入力し、確認ボタンをオンとすると、ログインＩＤおよび初期パスワードがＡＳＰ１へ送信される（ステップＳｂ１）。ＡＳＰ１は送信されたログインＩＤおよび初期パスワードを認証し（ステップＳｂ２）、「ＯＫ」であれば利用許可をＰＣ２へ送信する（ステップＳｂ３）。これにより、ＰＣ２がＡＳＰ１の専用ホームページにログインされる（ステップＳｂ４）。
【００１４】
次に、ＡＳＰ１が初回のログイン時のみカメラ設定ページをＰＣ２へ送信する（ステップＳｂ５）。このカメラ設定ページはＰＣ２のディスプレイに表示される（ステップＳｂ６）。ここで、ＰＣ２の担当者は、次のカメラ利用者情報をカメラ設定ページに入力する。
パスワードの変更予約
新パスワード
担当者名（カメラ固有のネーミングでもよい）
プロジェクトページの情報（新規プロジェクトなど）
ＡＳＰ以外の送信先情報（電話番号、ＩＤ、パスワード、サーバ情報等）
契約者情報の変更申請
＊なお、変更や追加等の際に同期を確認するため、バージョンを付けて管理する。
【００１５】
そして、担当者が送信ボタンをオンとすると、上述したカメラ利用者情報がＡＳＰ１へ送信される（ステップＳｂ７）。ＡＳＰ１はこのカメラ利用者情報を内部の記憶部に記憶させる（ステップＳｂ８）。次に、ＰＣ２の担当者は、撮影した画像に付属させるコメントの文例をＡＳＰ１へ送信する（ステップＳｂ９）。ＡＳＰ１はこのコメント文例を記憶部に記憶させる（ステップＳｂ１０）。なお、次回以降は、この操作をする場合、カメラ設定ページを利用することでできる。上述した作業を終えた後、ＰＣ２の担当者はＡＳＰ１のホームページからログアウトする。
【００１６】
次に、建築現場において、現場監督がカメラ３によって撮影した場合のシステムの動作を図５を参照して説明する。
現場監督がカメラ３の操作部１７（図２）のシャッタボタンをオンとすると、撮像部１１が撮影を行い、画像データをバスラインＢを介してＣＰＵ１４へ出力する。ＣＰＵ１４は、その画像データをメモリ１５に記憶させる（ステップＳｃ１）。次に、ＣＰＵ１４は、メモリ１５内の画像データを表示部１６へ出力する。これにより、撮影された画像が表示部に表示される。現場監督はその画像を確認し（ステップＳｃ２）、画像がＯＫ（よい）であるか、ＮＯ（画像がよくない）であるかを判断する（ステップＳｃ３）。そして、その判断結果が「ＮＯ」であった場合は、操作部１７において画像削除を指示するキー操作を行い（ステップＳｃ４）、再び、撮影を行う。
【００１７】
一方、ステップＳｃ３の判断の結果が「ＹＥＳ」（画像がＯＫ）であった場合は、次に、その画像データに付属情報が付加される（ステップＳｃ５）。この付属情報には、次の情報がある。
担当者名
日時
コメント
ここで、担当者名と日時は自動的に記録される。コメントはメモリ１５内にコメント文例が記憶されている場合は、現場監督がその中から選択する。また、キーによって入力してもよい。
【００１８】
次に、現場監督がその画像を送信しようと思った場合は、送信ボタンをオンとし、また、複数枚の画像をまとめて送信しようと思った場合は、再び、次に撮影を行う（ステップＳｃ６）。送信ボタンをオンとすると、表示部１６に、ＡＳＰ１へ送信するか他の送信先へ送信するかを選択する選択画面が表示される（ステップＳｃ７）。ここで、ＡＳＰ１を選択すると、ＣＰＵ１４が予めメモり１５内に設定されているＩＤおよび初期パスワードを通信部１２へ出力する。通信部１２はそのＩＤおよび初期パスワードをインターネット４を介してＡＳＰ１へ送信する（ステップＳｃ８）。
【００１９】
ＡＳＰ１は送信されたＩＤおよび初期パスワードを認証し（ステップＳｃ９）、次いで、利用許可およびバージョン情報をカメラ３へ送信すると共に、ＰＣ２から送信されたカメラ利用者情報、コメント文例がある場合はそれらを合わせてカメラ３へ送信する（ステップＳｃ１０）。この場合、ＡＳＰ１が最初にカメラ３へカメラ利用者情報を送信する時、新しいパスワードがそのカメラ利用者情報に含まれて送信される。カメラ３の通信部１２はＡＳＰ１から送信された情報を受信してバスラインＢへ出力し、ＣＰＵ１４がそれらの情報をメモリ１５に書き込む（ステップＳｃ１１）。
【００２０】
次に、ＣＰＵ１４は、メモリ１５内の未送信の全画像データおよび付属情報をバージョン情報と共に、通信部１２を介してＡＳＰ１へ送信する（ステップＳｃ１２）。またこの時、メモリ１５内に新パスワードが設定されていた場合は、そのパスワードも確認のため送信する。ＡＳＰ１は送信された画像データおよび付属情報を記憶部のプロジェクトページに記憶させる（ステップＳｃ１３）。この場合、特に設定されていなければ初期プロジェクトページに記憶される。また、カメラ３から新パスワードが送信された場合は、新パスワードの確認が行われ、パスワード変更が完了する。同時にカメラ利用者情報のバージョン管理が行われる。
【００２１】
図６はカメラとＡＰＳ１の記憶部に設定されるカメラ設定ページおよびプロジェクトページの関係を示す図である。いま契約したカメラがＡ，Ｂ，Ｃの３台の場合、ＡＳＰ１の記憶部には各カメラＡ，Ｂ、Ｃに対応して３つのカメラ設定ページが作成され、各カメラ設定ページに各々、カメラの担当者名、パスワード、ＩＤ、プロジェクトページ番号、ＡＳＰ１以外の送信先情報等が記憶される。また、プロジェクトページは各々プロジェクト対応で作成されるもので、例えば、建築現場毎に作成される。
【００２２】
そして、各カメラＡ，Ｂ，Ｃによって撮影した画像データは、カメラ設定ページにおいて指示されているプロジェクトページに、付属情報と共に記憶される。例えば、カメラＡのカメラ設定ページがプロジェクトページ３を指示していた場合には、カメラＡの画像データおよび付属情報は全てプロジェクトページ３に順次整理して記憶される。また、カメラＡの撮影画像をプロジェクトページ１に書き込もうと思った場合は、ＰＣ２からＡＳＰ１へプロジェクトページ変更情報を送信する。なお、送信先プロジェクトページをカメラによって指定することもできる。この場合、時間管理によって後から設定した方が優先される。図７は画像イメージによるプロジェクトページを示す図であり、この図において、符号２１はチェックボックス、２２は画像データに基づく画像、２３は付属情報である。なお、チェックボックスについては後に説明する。
【００２３】
次に、前述したステップＳｃ７（図５）において「ＡＳＰ以外へ送信」を選択した場合は、現在、メモリ１５内に設定されているＡＳＰ１以外の送信先が表示部１６に表示される。現場監督が表示された送信先の１つを選択し（ステップＳｃ１６）、次いで、送信ボタンをオンとすると（ステップＳｃ１７）、まず、ＩＤおよびパスワードが送信される（ステップＳｃ１８）。そして、送信先（例えば、建築会社のサーバ）からの利用許可を待つ（ステップＳｃ１９）。送信先においてＩＤおよびパスワードの認証が行われ、利用許可が返送されると、画像データおよび付属情報が送信される（ステップＳｃ２０）。
なお、メモリ１５内の送信された画像データには「送信済」を示すマークが付加され、表示部１６において表示させると、「送信済み」の文字が表示される。
【００２４】
次に、建築会社の管理者が建築現場の進行状況等を画像によってチェックしようと思った場合のシステムの動作を図８を参照して説明する。この場合、管理者はまずＡＳＰ１の専用ホームページへアクセスし、ＩＤ、パスワードをＡＳＰ１へ送信する（ステップＳｄ１）。ＡＳＰ１はこれらのＩＤおよびパスワードを認証し（ステップＳｄ２）、次いで利用許可を送信する（ステップＳｄ３）。これにより、ＰＣ２が専用ホームページにログインされる（ステップＳｄ４）。次に、ＡＳＰ１は初期プロジェクトページあるいはデフォルトのプロジェクトページをＰＣ２へ送信する（ステップＳｄ５）。送信されたプロジェクトページはＰＣ２のディスプレイに表示される（ステップＳｄ６；図７参照）。ここで、管理者は現場監督が撮影した画像を確認することができる。また、管理者は、いくつかのプロジェクトページが設定されている場合、それらのページに移動して表示させることができる。なお、画像を見るだけのＩＤを発行することも可能である。
【００２５】
次に、管理者が画像の分類方法を変更したい場合は次のように操作する（ステップＳｄ７、Ｓｄ８）。
□ いくつかのプロジェクトページが既にあり、条件に関わらず、次回から特定のプロジェクトページに分類したい場合には、まず目的のページを表示する。
□ 次に、そのページをデフォルトに設定するために、ページチェックボックスにチェックを入れる。これで、次回から分類先、およびログイン時の表示画面が変更される。この場合、デフォルトであることが分かるようなデザインが適用され表示される。
【００２６】
□ プロジェクトページ内の設定メニュー、あるいは、カメラ設定ページに移動してから、新規プロジェクトページを作成する。ＡＳＰ１において、新規プロジェクトページが作成され、ＰＣ２へ送信される。同時に、ＡＳＰ１がカメラからの画像分類先と次回ログイン時の初期画面が、新規プロジェクトになることの確認を求める。管理者がＰＣ２により確認を入力する。
ここで、「ＮＧ」の場合には、新規プロジェクトページが作成・表示されるのみで、デフォルトには変更されない。「ＯＫ」の場合は、次回から新規プロジェクトページがデフォルトとして利用されるようになる。
□ 次に、カメラ設定ページに移動する。付属情報に含まれる内容（文字列等）、およびそれに応じた移動先を指定することによって、画像を指定先のプロジェクトページに分類するように設定することもできる。これにより、次回から設定に従って分類される。
なお、受信した画像の削除、移動、複製等も可能である。
【００２７】
次に、管理者が画像を印刷する場合の動作を図９を参照して説明する。この場合、管理者は、ＡＳＰ１の専用ホームページへアクセスし、ＩＤ、パスワードをＡＳＰ１へ送信する（ステップＳｅ１）。ＡＳＰ１はこれらのＩＤおよびパスワードを認証し（ステップＳｅ２）、次いで利用許可を送信する（ステップＳｅ３）。これにより、ＰＣ２がホームページにログインされる（ステップＳｅ４）。次に、ＡＳＰ１はプロジェクトページをＰＣ２へ送信する（ステップＳｅ５）。送信されたプロジェクトページはＰＣ２のディスプレイに表示される（ステップＳｅ６）。ここで、管理者は印刷したいプロジェクトページを選択して表示させる（ステップＳｅ７）。そして、ＰＣ２の印刷ボタンをオンとする（ステップＳｅ８）。これにより、プロジェクトページが図７に示すように、整理帳のイメージで印刷される（ステップＳｅ９）。
【００２８】
次に、管理者が画像の写真状のプリントを必要とした場合の動作を図１０を参照して説明する。管理者は、ＰＣ２からＩＤおよびパスワードを送信し（ステップＳｆ１）、ＡＳＰ１が認証した後（ステップＳｆ２）、利用許可を送信し（ステップＳｆ３）、これによりＰＣ２のログインが行われる（ステップＳｆ４）。次に、ＡＳＰ１がプロジェクトページを送信し（ステップＳｆ５）、ＰＣ２にそのプロジェクトページが表示される（ステップＳｆ６）。ここで、管理者がプロジェクトページを選択し（ステップＳｆ７）、次いで、プリントしたい画像のチェックボックス２１（図７参照）にチェックを入れる（ステップＳｆ８）。そして、画像プリント申込みボタンをオンとする（ステップＳｆ９）。
【００２９】
この画像プリント申込みボタンがオンとされると、ＡＳＰ１へ画像プリント申込みが送信される。ＡＳＰ１はその申込みを受け、画像プリント申込みページをＰＣ２へ送信する（ステップＳｆ１０）。これにより、ＰＣ２に画像プリント申込みページが表示される（ステップＳｆ１１）。この画面において、管理者は申込みページに表示された送付先情報等の確認を行い（ステップＳｆ１２）、次いで、その画面に表示されたプリントボタンをオンとする（ステップＳｆ１３）。プリントボタンがオンとされると、ＡＳＰ１がプリント申込みを受け付け、その内容をＡＳＰ１の管理者へ画像または印刷によって通知する。以後、ＡＳＰ１を管理する管理センタがプリント処理を行い（ステップＳｆ１４）、送付先へへ郵送する（ステップＳｆ１５）。これにより、後日、ＰＣ２の管理者のもとへ、付属情報が印刷され、整理帳に整理されたプリント画像が納品される。
【００３０】
以上がこの発明の第１の実施形態の詳細である。なお、上記の構成において、カメラ３とＡＳＰ１とが回線接続された時に、ＡＳＰ１からカメラ３へコマーシャル映像を送信するようにしてもよい。すなわち、新しいコマーシャルがある場合、カメラ３が画像送信時に、まず、コマーシャルを受信する。この場合、受信契約に対し、システム利用料を安くするようにする。
【００３１】
次に、この発明の第２の実施形態について説明する。この第２の実施の形態による画像管理システムは一般の人のディジタルカメラによる画像を管理するシステムであり、全体構成を示すブロック図およびカメラの構成を示すブロック図は図１、図２と同じである。
【００３２】
図１１は利用開始時の処理過程を示すフローチャートである。このシステムの利用を希望する人（以下、ユーザという）は、システム管理会社から専用ディジタルカメラ３（図１、図２）を購入する（ステップＳｇ１）。ユーザがカメラ３を購入した時点で、ＡＳＰ１内に専用ホームページが作成され、ユーザに提供される（ステップＳｇ２）。次に、システム管理会社がユーザにカメラＩＤ、ログインＩＤ、初期パスワードを提供する（ステップＳｇ３）。次に、ユーザは、自分のＰＣ２からログインＩＤおよび初期パスワードによってＡＳＰ１の専用ホームページへログインし、次の利用者情報を登録する。
パスワードの変更予約
新パスワード
ユーザ名（カメラ固有のネーミングでもよい）、住所、連絡先
ＡＳＰ以外の送信先情報
【００３３】
次に、ユーザは、アルバムデザインを選択する（ステップＳｇ５）。ここで、アルバムとは前述したプロジェクトページに相当するもので、ＡＳＰ１の記憶部内に設定され、画像および付属情報が書き込まれる。図１２はこのアルバムの画面イメージを示す図であり、この図において、２５は画像、２６は付属情報である。そして、ユーザは複数のアルバムデザインから希望のものを選べるようになっている。
以上の処理が終了すると、以後、システムの利用が可能となる。そして、システム利用時のシステム各部の動作は上述した建築画像管理システムと同様である。
【００３４】
すなわち、ユーザが専用カメラ３によって撮影すると、撮影された画像がＡＳＰ１へ送られ、ユーザによって指定されているアルバムに整理される。従って、ユーザは、撮影直後から、ＰＣ２によってＡＳＰ１の専用ホームページへアクセスすることにより、画像を確認することができる。また、アルバムの印刷、画像のプリントも上記と同様にして得ることができる。また、ユーザはアルバムの設定やデザインを変更することができる。その場合、ユーザは、アルバム管理ページへアクセスし、複数のレイアウトデザインの中から好みのデザインを選択する。また、郵送先を専用ホームページで登録すると、カメラ３の送信機能が使えるようになる。専用ホームページに受信した画像は複製、削除、移動等の作業も可能である。また画像を見るだけのＩＤを発行してもよい。
【００３５】
専用ディジタルカメラは、ディポジット等による使い捨て、レンタル等の形式でも販売する。この場合、専用ホームページの利用は、レイアウトデザインの選択のためごく短期間、あるいは、無しとし、全ての画像を１回だけプリント・郵送されるサービスとする。レンタルによる利用の場合、カメラを店舗に返却することにより、ディポジット料金が返却される。
【００３６】
携帯電話機をＰＣ２の代わりに用いてもよい。この場合、アルバムデザインの選択は、店頭のカタログで選択してもよく、「夏」「海」「遠足」「未来」「さわやか」などのキーワードで大体のイメージを想像して選択することもできる。また、このシステムにおいては、専用ホームページは一定期間利用でき、継続して利用する場合は正式な利用契約を行う。
【００３７】
【発明の効果】
以上説明したように、この発明によれば、ディジタルカメラに、画像データを無線回線およびネットワークを介してサーバへ送信する送信手段を設け、またサーバに、ディジタルカメラからの画像データを記憶するプロジェクトページと、パーソナルコンピュータからネットワークを介して送信される要求を受けて画像データをパーソナルコンピュータへ送信する制御手段を設けたので、カメラの担当者が面倒なデータ送信処理を全くすることなく、画像データをサーバへ送信することができ、これにより、遠隔地の管理者や、それが必要な各地においてパーソナルコンピュータ等からその画像データを、撮影後直ちにチェックすることできる効果が得られる。また、パーソナルコンピュータやデータ通信の知識の全くない担当者でも容易にカメラを扱うことができる利点が得られる。また、画像を整理された状態で見ることができる利点も得られる。
【００３８】
また、請求項２および請求項３の発明によれば、画像についてより多くのデータを知ることができる効果がある。
【図面の簡単な説明】
【図１】  この発明の第１の実施形態による画像管理システムの全体構成を示すブロック図である。
【図２】  図１におけるカメラ３の構成を示すブロック図である。
【図３】  同実施形態によるシステムの利用開始時の処理を示すフローチャートである。
【図４】  同システムにおいて、パーソナルコンピュータ２が最初にＡＳＰ１にアクセスする時のシステム動作を示すフローチャートである。
【図５】  同システムにおいて、カメラ３の撮影時のシステム動作を示すフローチャートである。
【図６】  同システムにおいて、カメラとＡＳＰ内のカメラ設定ページおよびプロジェクトページの関係を示す図である。
【図７】  プロジェクトページの詳細図である。
【図８】  同システムにおいて、プロジェクトページの変更動作を示すフローチャートである。
【図９】  同システムにおいて、画像データの印刷時の動作を示すフローチャートである。
【図１０】  同システムにおいて、画像データのプリント時の動作を示すフローチャートである。
【図１１】  この発明の第２の実施形態による画像管理システムの利用開始時の処理を示すフローチャートである。
【図１２】  同システムにおけるアルバムデザインの一例を示す図である。
【符号の説明】
１…サーバ
２…パーソナルコンピュータ（ＰＣ）
３…カメラ
４…インターネット
１１…撮像部
１２…通信部
１４…ＣＰＵ
１５…メモリ
１６…表示部
１７…操作部
【図１】
0003691420.tif 000002
【図２】
0003691420.tif 000003
【図３】
0003691420.tif 000004
【図４】
0003691420.tif 000005
【図５】
0003691420.tif 000006
【図６】
0003691420.tif 000007
【図７】
0003691420.tif 000008
【図８】
0003691420.tif 000009
【図９】
0003691420.tif 000010
【図１０】
0003691420.tif 000011
【図１１】
0003691420.tif 000012
【図１２】
0003691420.tif 000013